【手続補正書】
【提出日】平成18年1月13日(2006.1.13)
【手続補正１】
【補正対象書類名】明細書
【補正対象項目名】特許請求の範囲
【補正方法】変更
【補正の内容】
【特許請求の範囲】
【請求項１】  下記を含む、運動障害を治療するための丸薬：
一種以上のＧＡＢＡ−Ａ神経伝達を増大させる薬剤；
一種以上のＮＭＤＡグルタメート神経伝達を減少させる薬剤；及びマグネシウムイオン。
【請求項２】  ＮＭＤＡレセプターアンタゴニストとＧＡＢＡ−Ａアゴニストが同じ薬剤である、請求項１に記載の丸薬。
【請求項３】  マグネシウムイオンがマグネシウム塩の形態である、請求項１に記載の丸薬。
【請求項４】  ＮＭＤＡアンタゴニスト及びＧＡＢＡ−Ａアゴニストを、アカンプロセート(カルシウムＮ−アセチルホモタウリネート)、マグネシウムＮ−アセチルホモタウリネート、Ｎ−アセチルホモタウリネートの塩、アセチルホモタウリネート塩基、ホモタウリン及びこれらの誘導体(ＧＡＢＡ及びグルタメート神経伝達に対する類似の薬力学的効果を有するもの)よりなる群から選択する、請求項１に記載の丸薬。
【請求項５】  前記の誘導体が、血液中で利用可能である、請求項４に記載の丸薬。
【請求項６】  前記の誘導体が、脳内で利用可能である、請求項４に記載の丸薬。
【請求項７】  前記の誘導体が、肝臓、血液又は脳内で代謝されてアセチルホモタウリネートイオンを放出するプロドラッグである、請求項４に記載の丸薬。
【請求項８】  前記の誘導体が、肝臓、血液又は脳内で代謝されて、ＧＡＢＡ及びグルタメート神経伝達に対する類似の薬力学的効果を有するアセチルホモタウリネートイオンの任意の誘導体を放出するプロドラッグである、請求項４に記載の丸薬。
【請求項９】  前記のプロドラッグが、ＧＡＢＡ及びグルタメート神経伝達に対する類似の薬力学的効果を有するアセチルホモタウリネートのエステル又は関連化合物を含む、請求項４に記載の丸薬。
【請求項１０】  前記の誘導体が、アカンプロセートよりも長い半減期を有する、請求項４に記載の丸薬。
【請求項１１】  前記の誘導体が、胃腸管から、アカンプロセートよりよく吸収される、請求項４に記載の丸薬。
【請求項１２】  前記の誘導体が、胃腸管から、一層確実に吸収される、請求項４に記載の丸薬。
【請求項１３】  丸薬が、トゥーレット症候群を治療するために用いられる、請求項１に記載の丸薬。
【請求項１４】  丸薬が、単純チックを治療するために用いられる、請求項１に記載の丸薬。
【請求項１５】  丸薬が、多発性チックを治療するために用いられる、請求項１に記載の丸薬。
【請求項１６】  丸薬が、眼瞼痙攣を治療するために用いられる、請求項１に記載の丸薬。
【請求項１７】  丸薬が、焦点ジストニーを治療するために用いられる、請求項１に記載の丸薬。
【請求項１８】  有効投与量の
(ｉ)ＮＭＤＡレセプターアンタゴニスト
(ｉｉ)ＧＡＢＡ−Ａアゴニスト
(ｉｉｉ)マグネシウムイオン
を、シロップ、エリキシル、液体、錠剤、時限式放出カプセル、エアゾール又は経皮的パッチを含む送達剤の形態で送達する、請求項１に記載の丸薬。
【請求項１９】  少なくとも２種の薬剤を含む組成物であって、下記の活性を有する当該組成物：
(ｉ)ＧＡＢＡ−Ａ神経伝達を増進する
(ｉｉ)ＮＭＤＡ型グルタメート神経伝達を減少させる。
【請求項２０】  前記の組成物が、化合物である、請求項１９に記載の組成物。
【請求項２１】  前記の組成物が、混合物である、請求項１９に記載の組成物。
【請求項２２】  何れの薬剤も両活性を有する、請求項１９に記載の組成物。
【請求項２３】  下記を含む組成物：
(ｉ)アカンプロセート
(ｉｉ)マグネシウムの無機塩又はキレート化合物。
【請求項２４】  アカンプロセートの無機マグネシウム塩又はキレート化合物に対する重量比が、１：１〜６：１である、請求項２３に記載の組成物。
【請求項２５】  マグネシウムの無機塩又はキレート化合物が、マグネシウムの任意の塩又はキレート化合物である、請求項２３に記載の組成物。
【請求項２６】  マグネシウムの無機塩又はキレート化合物が、塩化マグネシウム、酸化マグネシウム、硫酸マグネシウム及び種々のアミノ酸の何れかとキレート化したマグネシウムを含む、請求項２３に記載の組成物。
【請求項２７】  下記を含む、運動障害を治療するための組成物：
一種以上のＮＭＤＡグルタメート神経伝達を減じる薬剤；及び
マグネシウムイオン。
【請求項２８】  前記の組成物が、化合物である、請求項２７に記載の組成物。
【請求項２９】  前記の組成物が、混合物である、請求項２７に記載の組成物。
【請求項３０】  マグネシウムイオンが、マグネシウム塩の形態である、請求項２７に記載の組成物。
【請求項３１】  マグネシウムイオンが、キレート化合物の形態である、請求項２７に記載の組成物。
【請求項３２】  前記の組成物が、血液中で利用可能である、請求項２７に記載の組成物。
【請求項３３】  前記の組成物が、脳内で利用可能である、請求項２７に記載の組成物。
【請求項３４】  ＮＭＤＡグルタメート神経伝達を減少させる組成物を、メマンチン、デキストロメトルファン並びにメマンチン又はデキストロメトルファンと類似のグルタメート神経伝達に対する薬力学的効果を有するこれらの誘導体及び同族体よりなる群から選択する、請求項２７に記載の組成物。
【請求項３５】  前記の誘導体又は同族体が、肝臓、血液又は脳内で代謝されて、メマンチン又はデキストロメトルファンと類似のグルタメート神経伝達に対する薬力学的効果を有する任意の誘導体を放出するプロドラッグである、請求項３２に記載の組成物。
【請求項３６】  前記の誘導体又は同族体が、メマンチン又はデキストロメトルファンより長い作用の有効持続期間を有する、請求項３２に記載の組成物。
【請求項３７】  前記の誘導体又は同族体が、メマンチン又はデキストロメトルファンより長い期間にわたって吸収される、請求項３２に記載の組成物。
【請求項３８】  誘導体又は同族体が、メマンチン又はデキストロメトルファンより長い排除半減期を有する、請求項３２に記載の組成物。
【請求項３９】  組成物が、眼瞼痙攣又はメージュ症候群を治療するために用いられる、請求項２７に記載の組成物。
【請求項４０】  組成物が、焦点ジストニーを治療するために用いられる、請求項２７に記載の組成物。
【請求項４１】  前記の組成物を、丸薬、シロップ、エリキシル、液体、錠剤、時限式放出カプセル、エアゾール又は経皮的パッチを含む送達剤の形態で送達する、請求項２７に記載の組成物。
【請求項４２】  下記を含む、運動障害の治療のための組成物：
(ｉ)メマンチン
(ｉｉ)マグネシウムの無機塩又はキレート化合物。
【請求項４３】  下記を含む、運動障害の治療のための組成物：
(ｉ)デキストロメトルファン
(ｉｉ)マグネシウムの無機塩又はキレート化合物。
【請求項４４】  下記を含む、運動障害の治療のための組成物：
(ｉ)メマンチン
(ｉｉ)デキストロメトルファン
(ｉｉｉ)マグネシウムの無機塩又はキレート化合物。
【請求項４５】  マグネシウムの無機塩又はキレート化合物が、塩化マグネシウム、酸化マグネシウム、硫酸マグネシウム及び種々のアミノ酸の何れかとキレート化されたマグネシウムを含む、請求項４２、４３又は４４に記載の組成物。
【請求項４６】  前記の運動障害を、チック、トゥーレット症候群、遅発性ジスキネジア、遅発性ジストニー及び神経弛緩剤にさらされることによるものでない一群の焦点ジストニー(眼瞼痙攣及びメージュ症候群、痙性斜頸、痙攣性発声困難、書痙、音楽家痙攣及び他の職業性ジストニーを含むが、これらに限らない)よりなる群から選択する、請求項４２、４３又は４４に記載の組成物。
【請求項４７】  メマンチンをメマンチンの誘導体又は同族体で置き換えた、請求項４２、４３又は４４に記載の組成物。
【請求項４８】  デキストロメトルファンをデキストロメトルファンの誘導体又は同族体で置き換えた、請求項４２、４３又は４４に記載の組成物。